(57)【要約】【課題】筆記体のリターン時の衝撃を緩和することができるとともに、筆記時の筆記感を安定させることができる出没式筆記具を提供する。【解決手段】軸筒２内に筆記体５を前後方向に移動可能に収容し、前記軸筒２の外面の操作部８を操作することにより筆記体５を前方に押圧し該筆記体５のペン先５１を軸筒２の前端孔３１より出没させる出没機構を備えた出没式筆記具であって、前記軸筒２内に、筆記体５を後方に付勢する第１のコイルスプリング９を設け、前記筆記体５の後端と前記出没機構の前端との間に、筆記体５を前方に付勢する第２のコイルスプリング１０を設け、ペン先突出時、前記第２のコイルスプリング１０が、全ての線材同士が密着する全圧縮状態となることを特徴とする。【選択図】  図２
2012091468.tif 000002
【特許請求の範囲】
【請求項１】
軸筒内に筆記体を前後方向に移動可能に収容し、前記軸筒の外面の操作部を操作することにより筆記体を前方に押圧し該筆記体のペン先を軸筒の前端孔より出没させる出没機構を備えた出没式筆記具であって、
前記軸筒内に、筆記体を後方に付勢する第１のコイルスプリングを設け、前記筆記体の後端と前記出没機構の前端との間に、筆記体を前方に付勢する第２のコイルスプリングを設け、ペン先突出時、前記第２のコイルスプリングが、全ての線材同士が密着する全圧縮状態となることを特徴とする出没式筆記具。
【請求項２】
前記筆記体が、内部にインキを収容したインキ収容管と、該インキ収容管の前端に取り付けられるペン先と、該インキ収容管の後端に取り付けられる尾栓とからなり、前記尾栓の後端面に、前記第２のコイルスプリングの前端部を支持する凹状の受け座を形成した請求項１記載の出没式筆記具。
【発明の詳細な説明】
【技術分野】
【０００１】
本発明は、出没式筆記具に関する。
【背景技術】
【０００２】
特許文献１には、筆記部の出没における「出」の位置において軸筒との係合をなし「没」の位置にする弾撥部材の伸長力による筆記具カートリッジの急速な後方移動を発生する出没機構によって軸筒先端より弾撥部材を伸縮せしめ筆記部を出没可能とした筆記具カートリッジ内蔵のノック式筆記具において、前記出没機構と軸筒との間に、前記筆記具カートリッジの後方移動時に縮小する弾撥体を設けてなるノック式筆記具が開示されている。
【先行技術文献】
【特許文献】
【０００３】
【特許文献１】実公平３−４９９０６号公報
【発明の概要】
【発明が解決しようとする課題】
【０００４】
前記従来の出没式筆記具は、筆記具カートリッジを後方移動させペン先を没入する際、弾撥体によって筆記具カートリッジに加わる衝撃が緩和されるとしても、筆記時、筆圧により筆記具カートリッジが前後に動き、筆記感が不安定になるおそれがある。
【０００５】
本発明は、前記従来の問題点を解決するものであって、筆記体のリターン時の衝撃を緩和することができるとともに、筆記時の筆記感を安定させることができる出没式筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】
［１］本願の第１の発明は、軸筒２内に筆記体５を前後方向に移動可能に収容し、前記軸筒２の外面の操作部８を操作することにより筆記体５を前方に押圧し該筆記体５のペン先５１を軸筒２の前端孔３１より出没させる出没機構を備えた出没式筆記具であって、前記軸筒２内に、筆記体５を後方に付勢する第１のコイルスプリング９を設け、前記筆記体５の後端と前記出没機構の前端との間に、筆記体５を前方に付勢する第２のコイルスプリング１０を設け、ペン先突出時、前記第２のコイルスプリング１０が、全ての線材同士が密着する全圧縮状態となることを要件とする。
【０００７】
前記第１の発明の出没式筆記具１は、ペン先突出時、前記第２のコイルスプリング１０が全ての線材同士が密着する全圧縮状態となることにより、筆記体５のリターン時（即ち筆記体５を後方移動させペン先５１を没入させる時）の衝撃を緩和することができるとともに、筆記時の筆記感を安定させることができる。
【０００８】
［２］本願の第２の発明は、前記第１の発明の出没式筆記具１において、前記筆記体５が、内部にインキを収容したインキ収容管５２と、該インキ収容管５２の前端に取り付けられるペン先５１と、該インキ収容管５２の後端に取り付けられる尾栓５３とからなり、前記尾栓５３の後端面に、前記第２のコイルスプリング１０の前端部を支持する凹状の受け座５３ａを形成したことを要件とする。
【０００９】
前記第２の発明の出没式筆記具１は、尾栓５３の後端面に、第２のコイルスプリング１０の前端部を支持する凹状の受け座５３ａを形成したことにより、筆記時、第２のコイルスプリング１０が全圧縮状態において、第２のコイルスプリング１０の前端と筆記体５との接触を安定させることができ、より一層、安定した筆記感が得られる。
【発明の効果】
【００１０】
本発明は、筆記体のリターン時の衝撃を緩和することができるとともに、筆記時の筆記感を安定させることができる。
【図面の簡単な説明】
【００１１】
【図１】本発明の実施の形態のペン先没入状態を示す縦断面図である。
【図２】図１の筆記状態を示す縦断面図である。
【図３】図１の出没機構を示す分解図である。
【発明を実施するための形態】
【００１２】
本発明の実施の形態を図１及び図３に示す。
本実施の形態の出没式筆記具１は、軸筒２と、該軸筒２内に収容される筆記体５と、該筆記体５のペン先５１を軸筒２の前端孔３１より出没自在にさせる出没機構とを備える。軸筒２内には、筆記体５を後方に付勢する第１のコイルスプリング９が収容される。軸筒２内の、筆記体５の後端と出没機構の前端との間に、筆記体５を前方に付勢する第２のコイルスプリング１０が収容される。
【００１３】
・軸筒
前記軸筒２は、前軸３と、該前軸３の後端に着脱自在に連結される後軸４とからなる。
【００１４】
・前軸
前記前軸３は、先細円筒状の合成樹脂の成形体または金属加工体である。前記前軸３の前端には前端孔３１が前後方向に貫設される。前記前軸３の後端開口部外面には、オネジ部３２が一体に形成される。
【００１５】
・後軸
前記後軸４は、円筒状の合成樹脂の成形体または金属加工体である。前記後軸４の後端には、後端孔４１が前後方向に貫設される。前記後軸４の後端部内面には段形状の規制部４２が一体に形成される。前記後軸４の後端孔４１より前方の内面には、カム部６が一体に形成される。前記後軸４の外面には、クリップ４３が一体に突出形成される。前記後軸４の前端開口部内面には、メネジ部４４が一体に形成される。前記メネジ部４４と前軸３のオネジ部３２とが螺合可能である。
【００１６】
・筆記体
前記筆記体５は、ペン先５１と、該ペン先５１が前端開口部に圧入固着されたインキ収容管５２と、該インキ収容管５２の後端開口部に圧入固着される、外部とが通気可能な通気孔を備えた尾栓５３と、前記インキ収容管５２内に充填されるインキと、該インキの後端に充填され且つ該インキの消費に伴い前進する追従体（例えば高粘度流体）とからなる。前記尾栓５３の後端面に、凹状の受け座５３ａが形成される。
【００１７】
前記ペン先５１は、例えば、前端に回転可能にボールを抱持した金属製のボールペンのみからなる構成、または前記ボールペンチップの後部外面を保持した合成樹脂製のペン先ホルダーからなる構成のいずれであってもよい。
【００１８】
・出没機構
前記出没機構は、回転カム機構を用いたノック式出没機構であり、軸筒２内面に形成されたカム部６に係合し且つ筆記体５の後端に当接する回転部材７と、該回転部材７に係合し且つ軸筒２の後端孔４１より後方に突出するノック体８（操作部）と、軸筒２内に収容され且つ筆記体５を後方に付勢する第１のコイルスプリング９（具体的には圧縮コイルスプリング）とからなる。本実施の形態の出没機構は、ペン先突出操作及びペン先没入操作のいずれもがノック体８を前方に押圧操作するダブルノック式である。
【００１９】
図３の（ａ）に示すように、ノック体８の前端には、回転部材７の突条７１の後端と係合するカム歯８１を備える。ノック体８の前端部外面には、カム部６のカム溝６２内を前後方向に摺動可能なガイド突条８２を備え、それにより、カム部６に対するノック体８の回転が阻止される。図３（ｂ）に示すように、回転部材７の外面には、長手方向に延びる４本の突条７１を備える。前記突条７１が、カム部６のカム歯６１及びカム溝６２に係合される。図３（ｃ）に示すように、カム部６は、前方に突出する鋸歯状の複数のカム歯６１と、該カム歯６１間に形成されるカム溝６２とを備える。
【００２０】
・第２のコイルスプリング
尾栓５３の後端面の凹状の受け座５３ａ（筆記体５の後端）と、回転部材７の前端（出没機構の前端）との間には、第２のコイルスプリング１０が配置される。前記尾栓５３の後端面の凹状の受け座５３ａに、第２のコイルスプリング１０の前端が当接され、回転部材７の前端に、第２のコイルスプリング１０の後端が当接される。前記第２のコイルスプリング１０の弾発力（第２のコイルスプリング１０のバネ定数）が前記第１のコイルスプリング９の弾発力（第１のコイルスプリング９のバネ定数）より小さく設定される。ペン先突出時、前記第２のコイルスプリング１０が、全ての線材同士が密着する全圧縮状態となる。
【００２１】
・ペン先の出没
ペン先没入状態からノック体８を第１のコイルスプリング９による後方付勢に抗して前方に押圧操作すると、ノック体８の前端が回転部材７を前方に押圧し、前記回転部材７の突条７１がカム溝６２に沿って前方に移動する。前記回転部材７が前方に移動することに伴って、第２のコイルスプリング１０が全圧縮状態となり、前記全圧縮状態となった第２のコイルスプリング１０が筆記体５の後端を前方に押圧し、ペン先５１が前端孔３１より外部に突出される。このとき、前記ノック体８のカム歯８１と前記回転部材７の突条７１との当接によって回転部材７がカム部６に対して一定角度だけ回転する。それにより、前記回転部材７の突条７１がカム部６のカム歯６１に係合され、ペン先突出状態が維持される。
【００２２】
ペン先突出状態からノック体８を前方に押圧操作すると、ノック体８の前端が回転部材７を前方に押圧し、前記ノック体８のカム歯８１と前記回転部材７の突条７１との当接によって回転部材７がカム部６に対して一定角度だけ回転する。それによって、前記突条７１とカム部６のカム歯６１との係合状態が解除され、第１のコイルスプリング９による後方付勢により、前記突条７１がカム部６のカム溝６２に沿って後方に移動する。前記回転部材７が後方に移動することに伴って、筆記体５が後方に移動し、ペン先没入状態となる。前記ガイド突条８２（係止部）はカム部６の後方の規制部４２に係止し、ペン先没入状態が維持される。ペン先突出状態からペン先没入状態となる過程で、第２のコイルスプリング１０が伸張し、該第２のコイルスプリング１０が勢いよく筆記体５が後方移動した際による衝撃を緩和することができる。
【００２３】
本実施の形態の出没式筆記具１は、筆記時、前記第２のコイルスプリング１０が全ての線材同士が密着する全圧縮状態となることにより、筆記体５のリターン時（即ち筆記体５を後方移動させペン先を没入させる時）の衝撃を緩和することができるとともに、筆記時の筆記感を安定させることができる。
【００２４】
本実施の形態の出没式筆記具１は、尾栓５３の後端面に、第２のコイルスプリング１０の前端部を支持する凹状の受け座５３ａを形成したことにより、筆記時、第２のコイルスプリング１０が全圧縮状態において、第２のコイルスプリング１０の前端と筆記体５との接触を安定させることができ、より一層、安定した筆記感が得られる。
【符号の説明】
【００２５】
１  出没式筆記具
２  軸筒
３  前軸
３１  前端孔
３２  オネジ部
４  後軸
４１  後端孔
４２  規制部
４３  クリップ
４４  メネジ部
５  筆記体
５１  ペン先
５２  インキ収容管
５３  尾栓
５３ａ  受け座
６  カム部
６１  カム歯
６２  カム溝
７  回転部材
７１  突条
８  ノック体（操作部）
８１  カム歯
８２  ガイド突条
９  第１のコイルスプリング
１０  第２のコイルスプリング
【図１】
2012091468.tif 000003
【図２】
2012091468.tif 000004
【図３】
2012091468.tif 000005